(57)【要約】【課題】吸込み途中での詰まりを攪拌羽根などのようなものを設けることなく解消する。【解決手段】一直線状の吸込み路16の一側に入口11を設けると共に他側に出口13を設けた筒本体２と、一端を大気開放口17に接続すると共に他端を前記入口11の出口13側に連通した大気導入路20を形成する大気導入筒３と、大気導入路20の他端側における入口11の出口13側に臨む箇所に設けられる絞り部21とを備える。入口11が被吸込み物10で詰まった場合には、大気開放口17から大気導入路20を介して導入される空気が絞り部21の空気抵抗に打ち勝って入口11側に大量に導入される。そして、空気により詰まっている被吸込み物10は順次剥ぎ取られて出口13側に排出されることで、被吸込み物10による入口11の詰まりを解消することができる。【選択図】図４
2013001515.tif 000002
【特許請求の範囲】
【請求項１】
一直線状の吸込み路の一側に入口を設けると共に他側に出口を設けた筒本体と、一端を大気開放とし他端を前記入口における出口側に連通した大気導入路を形成する大気導入筒と、前記大気導入路の他端側における前記入口における出口側に臨む箇所に設けられる絞り部とを備えることを特徴とする吸込み筒。
【請求項２】
前記絞り部は前記筒本体の上面側に設けられると共に、前記大気導入路の一端は前記出口側に設けられることを特徴とする請求項１記載の吸込み筒。
【発明の詳細な説明】
【技術分野】
【０００１】
本発明は、入口と出口を備え出口側を負圧とすることで、大気圧状態にある被吸込み物を入口から吸込むための吸込み筒に関する。
【背景技術】
【０００２】
従来、詰まれた籾殻をトラックの荷台などに搬送するための籾殻等吸引装置は、例えばモータ駆動の吸引装置に吸込みホースを接続し、この吸込みホースの先端に吸込み筒を接続しており、そしてモータを駆動することで、吸込み筒から籾殻を吸込んで吸込みホースを介してトラックの荷台などに搬送している。そして、吸込み筒は入口と出口を設けた直線状の筒形状であった。
【先行技術文献】
【特許文献】
【０００３】
【特許文献１】特開２００２−１６０８２５号公報
【発明の概要】
【発明が解決しようとする課題】
【０００４】
従来技術の吸込み筒においては、入口から入った籾殻が出口より吸込みホース側に出て搬送されるものであるが、入口で籾殻が詰まってしまうと、手作業で入口の詰まりを解消しなければならなかった。
【０００５】
しかしながら、手作業での詰まりの解消は、煩雑であるばかりか、詰まりの有無を常時観察しなければならないという問題がある。
【０００６】
このような問題を解決するには、入口に例えば攪拌羽根などを設けることなどが考えられるが、このような場合には入口が狭くなり吸込み効率が低下するなどのおそれがある。
【０００７】
解決しようとする問題点は、籾殻等の粒、米粉等の粉、落葉等の片などの吸込み筒において、吸込み途中での詰まりを攪拌羽根などのようなものを設けることなく解消する点である。
【課題を解決するための手段】
【０００８】
請求項１の発明の吸込み筒は、一直線状の吸込み路の一側に入口を設けると共に他側に出口を設けた筒本体と、一端を大気開放とし他端を前記入口における出口側に連通した大気導入路を形成する大気導入筒と、前記大気導入路の他端側における前記入口における出口側に臨む箇所に設けられる絞り部とを備えることを特徴とする。
【０００９】
請求項２の発明の吸込み筒は、請求項１において、前記絞り部は前記筒本体の上面側に設けられると共に、前記大気導入路の一端は前記出口側に設けられることを特徴とする。
【発明の効果】
【００１０】
請求項１の発明によれば、入口から吸込んだ被吸込み物を出口に排出する。そして入口が被吸込み物で詰まったときには、大気導入筒から空気が絞り部を介して入口における出口側に入り込んで詰まった被吸込み物を出口側に押し出すようにして詰まりを解消することができる。
【００１１】
請求項２の発明によれば、連通部における大気開放側の一端を出口側とすることで、連通部では大気導入路が上側から下側に回り込むようになるので、入口が被吸込み物で詰まったときには、大気導入路の空気と詰まっている被吸込み物との接触面積を大きくでき、詰まりを確実になくすことができる。
【図面の簡単な説明】
【００１２】
【図１】本発明の実施例１を示す前側からの斜視図である。
【図２】同後側からの斜視図である。
【図３】同縦断面図である。
【図４】同詰まった状態の縦断面図である。
【図５】本発明の実施例２を示す縦断面図である。
【図６】本発明の実施例３を示す縦断面図である。
【発明を実施するための形態】
【００１３】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１４】
図１〜４は実施例１を示しており、略矩形の中空な箱型形状をなしたケーシング１の下側に筒本体２、上側に大気導入筒３が横向きの上下を仕切る仕切り板部４を介して一体に設けられている。ケーシング１は長手方向の一側となる前側に設けられる前板部５、他側となる後側に後板部６、左右両側にそれぞれ側板部７、底部に底板部８、及び上方に上板部９が設けられている。そして、前板部５、後板部６、側板部７の下側のほぼ半分と底板部８と仕切り板部４によって筒本体２が形成されると共に、前板部５の下側に被吸込み物10の入口11が前向きに形成されると共に、前板部５における入口11の上部側は上方に向けて斜め後方に傾斜した傾斜部12が形成されている。また後板部６の下側に被吸込み物10の出口13が後向き形成され、この出口13に先端14を接続した吸込みホース15を介して吸引装置（図示せず）が接続される。このため、筒本体２の内部には入口11から出口13までの横向きな一直線状の吸込み路16が形成されている。
【００１５】
さらに、前板部５、後板部６、側板部７の上側のほぼ半分と上板部９と仕切り板部４によって大気導入筒３が形成される。そして、大気導入筒３では、後板部６の上側に大気開放口17が後向きに形成されていると共に、仕切り板部４の前側端４Ａは前板部５の内面からやや後退しており、このため前側端４Ａと前板部５の内面との間に隙間によって連通部18が形成され、この連通部18は大気導入筒３と筒本体２を連通する。また、連通部18は入口11における出口13側に連通して設けられているものであって、入口11における出口13側に斜めに対向するように面して向かって設けられている。さらに、図１において前側端４Ａ、すなわち連通部18の後部、すなわち前側端４Ａは、入口11と出口13を直線的に結ぶ吸込み路16における一点鎖線で示した仮想線19の下方にやや入り込んでおり、その前側は傾斜部４Ｂによって傾斜している。したがって、大気導入筒３によって形成される大気導入路20の一端は大気開放口17に連通して大気開放に形成され、また大気導入路20の他端は連通部18に連通している。
【００１６】
そして、入口11の通気面積と出口13の通気面積はほぼ等しく、大気開放口17の通気面積は入口11の通気面積、出口13の通気面積よりやや狭いか或いはほぼ同じに形成されている。さらに、連通部18の通気面積は大気開放口17の通気面積よりも狭くなるように絞り部21が連通部18を狭めることで形成されている。尚、大気導入路20は大気開放口17から大気導入筒３の長手方向の中央よりやや前側まで同じ通気面積に形成され、この通気面積の連通部18側に接続される箇所の通気面積は連通部18側に次第に絞られて狭くなるようになっている。これは前板部５の傾斜部12と仕切り板部４の傾斜部４Ｂのためである。
【００１７】
尚、上板部９の長手方向の中央の上方にはケーシング１を持ち運びするためのハンドル22が支持棒23を介して設けられている。
【００１８】
次に前記構成についてその作用を説明する。例えば、籾殻等の粒状の被吸込み物10を搬送する場合には、ハンドル22を握って入口11を被吸込み物10に押し込んだり、或いは被吸込み物10に向かって進める。そして吸引装置を作動させると、吸込みホース15を介して筒本体２の内側の空気が出口13側より吸引されることで、筒本体２の内側が負圧となる。このため図１の矢印24に示すように入口11の外側に置かれている被吸込み物10は入口11から筒本体２内の一直線状の吸込み路16を通って出口13を介して吸込みホース15側に吸引されて搬出される。
【００１９】
この際、大気導入路20においては、連通部18側が吸込み路16側と連通しているので、大気開放口17から大気が大気導入筒３の大気導入路20を通って吸込み路16側に吸引されようとするが、連通部18には絞り部21が設けられているので、大気開放口17から導入されて大気導入路20を通った空気が絞り部21によって抵抗を受け、わずかの空気量のみが吸込み路16側に吸引されている。この結果大気開放口17から吸込み路16側に送られる空気の量は、一直線状となって空気抵抗の少ない吸込み路16を流れる空気の量に比較して極僅かになって、無駄が少ないようになっている。
【００２０】
尚、吸込み作業中において、積まれた被吸込み物10に入口11を押し込むように吸込み筒を設置した場合には、被吸込み物10が順次入口11に吸込まれると積まれた被吸込み物10は順次低くなると共に、傾斜部12に沿って案内されて入口11側に流れ落ち、この流れ落ちた被吸込み物10が入口11に順次吸込まれるように入口11に入るようになっている。
【００２１】
このような吸込み作業中に、例えば被吸込み物10が塊となって入口11に入って入口11が詰まると、図４の矢印25のように出口13側が負圧状態になっているので、大気開放口17から導入されて大気導入路20を通った空気が絞り部21によって抵抗を受けるものの、入口11が詰まって負圧が大きくなっている吸込み路16と連通部18の圧力の差が大きくなり、このため連通部18には絞り部21が設けられているものの、絞り部21による抵抗に打ち勝って大量の空気が、大気開放口17から大気導入路20を介して連通部18に流入し、さらに大量の空気は入口11に臨んでいる前側端４Ａにおいて出口13に向かって回り込んで出口13側に吸引される。
【００２２】
このような前側端４Ａにおける空気の回り込みに伴って、その旋回流が入口11に詰まっている被吸込み物10の表面側を後方に押し込むように作用して、大気導入路20を介して導入された空気によって詰まっている被吸込み物10を順次剥ぎ取るようにして詰まりを解消できるようになっている。
【００２３】
そして、被吸込み物10による入口11の詰まりが少なくなると、再び図３に示すように入口11から吸込み路16を介して出口13へ吸引でき、詰まりを解消することができる。
【００２４】
以上のように、前記実施例では、一直線状の吸込み路16の一側に入口11を設けると共に他側に出口13を設けた筒本体２と、一端を大気開放口17に接続すると共に他端を前記入口11の出口13側に連通した大気導入路20を形成する大気導入筒３と、大気導入路20の他端側における入口11の出口13側に臨む箇所に設けられる絞り部21とを備えることで、通常の被吸込み物10の吸込み時においては、入口11から入った被吸込み物10を吸込み路16に沿って出口13側に吸引できる。一方、入口11が被吸込み物10で詰まった場合には、出口13側の負圧が大きくなることに起因して、大気開放口17から大気導入路20を介して導入される空気が絞り部21の空気抵抗に打ち勝って入口11側に大量に導入されることで、入口11に詰まっている被吸込み物10の出口13側部位を出口13側に押し込んで、詰まっている被吸込み物10を順次剥ぎ取って出口13側に排出することで、被吸込み物10による入口11の詰まりを解消することができる。
【００２５】
また、絞り部21は筒本体２の上面側に設けられることで、入口11を詰まらせた被吸込み物10の上側に絞り部21が設けられることで、図２に示すように大気導入路20を通る空気は被吸込み物10の上側を通って該上側を順次剥ぎ取って詰まりを確実に解消することができる。さらに、大気導入路20の一端は出口13側に設けられるので、前端側の連通部18においては、空気が回り込むように大気導入路20から吸込み路16に入り込み、入口11に詰まっている被吸込み物10と回り込んだ空気との接触面積を大きくできるので、被吸込み物10による入口11の詰まりを確実に解消することができる。
【００２６】
さらに、前板部５における入口11の上部側は上方に向けて斜め後方に傾斜した傾斜部12が形成されているので、吸込み作業中に、積まれた被吸込み物10は傾斜部12に沿って案内されて入口11側に流れ落ち、この流れ落ちた被吸込み物10が入口11に順次吸込まれるように入口11に入るようになっているので、入口11への被吸込み物10の集まりも自動で行うことができる。
【００２７】
しかも、連通部18では、絞り部21が形成されているだけで可動部がなく簡易な構造であるので、被吸込み物10が連通部18側に入り込んだとしても故障などのおそれはない。
【実施例２】
【００２８】
以下に、他の実施例について説明する。尚、前記実施例１と同一部分には同一符号を付し、その詳細な説明を省略する。
【００２９】
図５は実施例２を示しており、この実施例では入口11における出口13側に臨んで絞り部21が設けられ、さらに補助として大気開放口17にも補助絞り部26が設けられている。この補助絞り部26は、実施例では大気開放口17の外側に昇降自在に設けられて大気開放口17の面積を調整するためのスライド板27によって形成されている。尚、図中は大気開放口17の脇に設けられるスライド板のガイドレール28であって、スライド板27は所望高さで固定できるようになっている。
【００３０】
また、底板部８に床や地面を這って移動できるように滑り板部29が設けられて、入口11は斜め下向きに設けられている。尚、滑り板部29に代えて車輪やローラなどでもよい。
【００３１】
したがって、スライド板27の高さを調節することで、大気開放口17の面積を調整して、大気導入路20、ひいては固定状態にある絞り部21を通る空気量を調節することで、各種被吸込み物の大きさや重さ或いは重ね状態などに応じた詰まりの解消を行うことができる。
【００３２】
また、滑り板部29を設けたことによって、床や地面に吸込み筒を這わせて自由に移動することができる。
【実施例３】
【００３３】
図６は実施例３を示しており、この実施例では、吸込み路16を形成する筒本体２と別体に、大気導入路を形成する大気導入筒３を筒部30によって設けたものであり、筒本体２と大気導入筒３との連通部18´に絞り部21´を入口11における出口13側に臨む箇所に設けたものである。
【００３４】
したがって、入口11が被吸込み物10で詰まった場合には、出口13側の負圧が大きくなることに起因して、筒部30の先端である大気開放口17から大気導入路20を介して導入される空気が絞り部21´の空気抵抗に打ち勝って入口11側に大量に導入されることで、被吸込み物による入口11の詰まりを解消することができる。
【産業上の利用可能性】
【００３５】
以上のように本発明に係る吸込み筒は、各種の用途に適用できる。
【符号の説明】
【００３６】
11  入口
13  出口
16  吸込み路
16  大気導入筒部
17  大気開放口
18  18´  連通部
20  大気導入路
21  21´  絞り部
【図１】
2013001515.tif 000003
【図２】
2013001515.tif 000004
【図３】
2013001515.tif 000005
【図４】
2013001515.tif 000006
【図５】
2013001515.tif 000007
【図６】
2013001515.tif 000008